【手続補正書】
【提出日】平成28年12月16日(2016.12.16)
【手続補正１】
【補正対象書類名】特許請求の範囲
【補正対象項目名】全文
【補正方法】変更
【補正の内容】
【特許請求の範囲】
【請求項１】
所望の生理学的植物反応を、少なくとも調節可能な照明特性を持つ少なくとも一つの照明システムのための制御命令に変換するためのインターフェースであって、
所望の生理学的植物反応を受信するための受信器と、
前記所望の生理学的植物反応を前記制御命令に変換するための、前記受信器に機能的に結合されるプロセッサと、
前記制御命令を送信するための、前記プロセッサに機能的に結合される送信器とを有し、
前記所望の生理学的植物反応が、多次元園芸作用空間内の設定点として定義され、前記多次元園芸作用空間は、所望の光合成作用をあらわす第一の次元、所望のフォトトロピン作用をあらわす第二の次元、所望のフィトクロムＰｒ作用をあらわす第三の次元、及び所望のフィトクロムＰｆｒ作用をあらわす第四の次元から選択される少なくとも二つの次元によってあらわされ、
前記プロセッサが、照明システムによって実行可能な制御命令に変換可能な前記多次元園芸作用空間内の点をあらわす前記多次元園芸作用空間のサブ空間の記述を有するメモリに機能的に結合され、
前記プロセッサが、前記サブ空間内の標的点に前記設定点をマッピングし、照明システムのための対応する制御命令を決定するように構成される、
インターフェース。
【請求項２】
前記所望の生理学的植物反応が多次元園芸作用空間内の設定点として定義され、前記多次元園芸作用空間は、
（ｉ）所望の光合成作用をあらわす第一の次元と所望のフォトトロピン作用をあらわす第二の次元を少なくとも有する第一の座標系、
（ｉｉ）所望の光合成作用をあらわす第一の次元、所望のフィトクロムＰｒ作用をあらわす第二の次元、及び所望のフィトクロムＰｆｒ作用をあらわす第三の次元を少なくとも有する第二の座標系、
（ｉｉｉ）所望のフォトトロピン作用をあらわす第一の次元、所望のフィトクロムＰｒ作用をあらわす第二の次元、及び所望のフィトクロムＰｆｒ作用をあらわす第三の次元を少なくとも有する第三の座標系、
のうちの一つによってあらわされる、請求項１に記載のインターフェース。
【請求項３】
前記プロセッサが少なくとも一つの最適化基準に基づいて前記サブ空間内の前記設定点をマッピングするように構成される、請求項１又は２に記載のインターフェース。
【請求項４】
前記多次元園芸作用空間が、所望の光合成作用をあらわす第一の次元、所望のフォトトロピン作用をあらわす第二の次元、所望のフィトクロムＰｒ作用をあらわす第三の次元、及び所望のフィトクロムＰｆｒ作用をあらわす第四の次元を少なくとも有する、請求項１乃至３のいずれか一項に記載のインターフェース。
【請求項５】
前記多次元園芸作用空間が追加次元を有し、前記追加次元が所望の気孔開口作用をあらわす、請求項１乃至４のいずれか一項に記載のインターフェース。
【請求項６】
前記受信器がさらに、植物のタイプ、少なくとも一つの所望の生理学的植物反応、及び前記少なくとも一つの所望の生理学的植物反応のためのタイムスケジュール、を特定するためのラベルを少なくとも有する園芸光レシピを受信するように構成され、前記少なくとも一つの所望の生理学的植物反応は少なくとも一つの園芸作用座標としてあらわされる、請求項１乃至５のいずれか一項に記載のインターフェース。
【請求項７】
前記受信器がさらに、前記多次元園芸作用空間内の前記サブ空間を定義する点として定義される生理学的植物反応を実行するための関連する制御命令とともに照明システム識別を有する照明システム定義を受信するように構成され、前記制御命令が前記照明システムによって実行可能であり、前記受信器が前記メモリに照明システム定義を提供するように構成される、請求項１乃至６のいずれか一項に記載のインターフェース。
【請求項８】
前記受信器がさらに、感知される光スペクトルをあらわすセンサ値を受信するように構成され、前記プロセッサがさらに前記多次元園芸作用空間内の感知点に前記センサ値をマッピングするように構成される、請求項１乃至７のいずれか一項に記載のインターフェース。
【請求項９】
前記園芸作用空間に対して前記少なくとも一つの照明システムのサブ空間を表示するための、又はその投影を表示するための、前記プロセッサに機能的に結合されるディスプレイをさらに有する、請求項１乃至８のいずれか一項に記載のインターフェース。
【請求項１０】
前記ディスプレイが、前記サブ空間に対する前記設定点及び前記標的点、その投影の少なくとも一つを表示する、請求項９に記載のインターフェース。
【請求項１１】
請求項１乃至１０のいずれか一項に記載のインターフェースと、少なくとも一つの照明システムと、気候制御システムとを有する、園芸システムであって、前記インターフェースが、少なくとも一つの所望の生理学的植物反応を前記インターフェースに提供するための気候制御システムと機能的に結合され、さらに前記インターフェースから制御命令を受信するため、及び前記少なくとも一つの所望の生理学的植物反応にマッピングされる光を提供するための照明システムと機能的に結合される、園芸システム。
【請求項１２】
請求項１乃至１０のいずれか一項に記載のインターフェースと、植物のタイプ、前記多次元園芸作用空間内の少なくとも一つの設定点として定義される少なくとも一つの所望の生理学的植物反応、前記少なくとも一つの所望の生理学的植物反応のためのタイムスケジュール、を特定するためのラベルを少なくとも有する園芸光レシピを提供するように構成される、園芸光レシピ管理システムとを有する、園芸システムであって、前記インターフェースが前記園芸光レシピを受信するために前記園芸光レシピ管理システムに機能的に結合される、園芸システム。
【請求項１３】
請求項１乃至１０のいずれか一項に記載のインターフェースを有する園芸システムであって、前記多次元園芸作用空間内の前記サブ空間を定義する点として定義される生理学的植物反応を実行するための関連する制御命令とともに照明システム識別を各々が有する、照明システム定義のリポジトリを有する照明管理システムをさらに有し、前記インターフェースが前記リポジトリにアクセスするために前記照明管理システムに機能的に結合される、園芸システム。
【請求項１４】
感知される光スペクトルをあらわすセンサ値を提供するためのセンサであって、前記センサは前記センサ値を推定生理学的植物反応に変換するためのセンサインターフェースに機能的に結合され、前記センサインターフェースが、
センサ値を受信するための受信器と、
前記センサ値を前記推定生理学的植物反応に変換するための、前記受信器に機能的に結合されるプロセッサと、
前記推定生理学的植物反応を送信するための、前記プロセッサに機能的に結合される送信器とを有し、
前記推定生理学的植物反応が多次元園芸作用空間内の推定点として定義され、前記多次元園芸作用空間は、
（ｉ）所望の光合成作用をあらわす第一の次元と所望のフォトトロピン作用をあらわす第二の次元を少なくとも有する第一の座標系、
（ｉｉ）所望の光合成作用をあらわす第一の次元、所望のフィトクロムＰｒ作用をあらわす第二の次元、及び所望のフィトクロムＰｆｒ作用をあらわす第三の次元を少なくとも有する第二の座標系、
（ｉｉｉ）所望のフォトトロピン作用をあらわす第一の次元、所望のフィトクロムＰｒ作用をあらわす第二の次元、及び所望のフィトクロムＰｆｒ作用をあらわす第三の次元を少なくとも有する第三の座標系、
のうちの一つによってあらわされ、
前記プロセッサが前記センサ値を前記推定点にマッピングするように構成される、センサ。
【請求項１５】
所望の生理学的植物反応を、少なくとも一つの調節可能な照明特性を持つ少なくとも一つの照明システムのための制御命令に変換するための方法であって、
所望の生理学的植物反応を受信するステップであって、前記所望の生理学的植物反応が多次元園芸作用空間内の設定点として定義され、前記多次元園芸作用空間が、
（ｉ）所望の光合成作用をあらわす第一の次元と所望のフォトトロピン作用をあらわす第二の次元を少なくとも有する第一の座標系、
（ｉｉ）所望の光合成作用をあらわす第一の次元、所望のフィトクロムＰｒ作用をあらわす第二の次元、及び所望のフィトクロムＰｆｒ作用をあらわす第三の次元を少なくとも有する第二の座標系、
（ｉｉｉ）所望のフォトトロピン作用をあらわす第一の次元、所望のフィトクロムＰｒ作用をあらわす第二の次元、及び所望のフィトクロムＰｆｒ作用をあらわす第三の次元を少なくとも有する第三の座標系、
のうちの一つによってあらわされる、ステップと、
前記所望の生理学的植物反応を制御命令に変換するステップであって、前記変換するステップが、前記多次元園芸作用空間のサブ空間内の標的点に前記設定点をマッピングするステップと、前記少なくとも一つの照明システムのための対応する制御命令を決定するステップとを有し、前記サブ空間が前記少なくとも一つの照明システムによって実行可能な、前記少なくとも一つの照明システムのための制御命令に変換可能な、前記多次元園芸作用空間内の点を有する、ステップと、
前記少なくとも一つの照明システムに前記制御命令を送信するステップとを有する、方法。